(57)【特許請求の範囲】
【請求項１】
液体が充填され容器内から容器外へ突出して設けられ、且つ、容器内において液体に浸漬される吸液芯を有する液体容器を筐体に対してスライド可能に保持するホルダと、
前記吸液芯を加熱し、この吸液芯から液体を蒸散させるために前記筐体に設けられた加熱手段と、
前記加熱手段と前記吸液芯とが近接した状態で前記液体容器を保持する保持手段と、
前記液体容器を、前記ホルダを介して前記筐体に対してスライドさせ、前記吸液芯と前記加熱手段とを近接、又は、離間させる近接離間手段と、を有し、
前記近接離間手段は、前記保持手段による保持を解除して前記液体容器が前記筐体から排出する際に前記筐体の外方へ当該液体容器の一部が突出した状態を維持するように構成されることを特徴とする、
加熱蒸散装置。
【請求項２】
前記近接離間手段は、前記保持手段による保持が解除された場合、前記加熱手段から前記吸液芯を離間させ、前記液体容器を前記加熱蒸散装置の外方へ排出することを特徴とする、
請求項１に記載の加熱蒸散装置。
【請求項３】
前記近接離間手段は、前記液体容器をその外周側から押圧して当該液体容器の落下を防ぐ押圧手段をさらに有することを特徴とする、
請求項１又は２に記載の加熱蒸散装置。
【請求項４】
前記保持手段は、前記液体容器の保持解除後に当該液体容器の外側面を押圧するように構成されることを特徴とする、
請求項１、２又は３に記載の加熱蒸散装置。
【発明の詳細な説明】
【技術分野】
【０００１】
本発明は、ボトルに充填した蒸散用薬剤を加熱により蒸散させる加熱蒸散装置の技術に関する。
【背景技術】
【０００２】
液体容器（例えば、ボトル）に充填された蚊等の害虫を駆除するための殺虫剤、あるいは芳香剤等を室内に拡散するための加熱蒸散装置が知られている。この様な加熱蒸散装置では、例えば薬液等が充填されたボトルを任意に装着・取り外しが可能に構成されたものがある。また、ボトルから突出して設けられた吸液芯に熱を加え、ボトルに充填された薬液等を蒸散させる加熱蒸散装置が知られている。
【０００３】
従来一般の加熱蒸散装置におけるボトルの装着は、ボトルを装置に圧入、つまりボトルを所定位置まで強い力で「押し込む」という動作で取り付ける。また、装置からボトルを取り外す際には、装置の内部に指等を差し入れるようにしてボトルと装置の「隙間」に指等を差し込んで強い力でボトルを引っ張り出す必要がある。そのため、容易にボトルを装置から取り外すことができない場合がある。
また、取り付けの際にはボトルを強い力で装置に押し込む。そのため、吸液芯の位置が定まらず、加熱部に到達するまでに装置内面に接触させてしまい、吸液芯を破損してしまうことがある。
【０００４】
このような問題に対し、特許文献１に開示された蚊取器では、押ボタンが押されたときの押ボタンの動きに伴って相対的に離間する複数の係止爪で容器のリブを係止する構造を採用している。そのため、容器が確実に装着され、かつ装着された容器を容易に取り外すことができる、としている。
【先行技術文献】
【特許文献】
【０００５】
【特許文献１】特開２０１２−１１５１７６号公報
【発明の概要】
【発明が解決しようとする課題】
【０００６】
しかしながら、特許文献１に開示された蚊取器では、装着された容器を容易に取り外すことができるとしているが、容器を取り外す際に不意に容器を落下させてしまうことがある。そのため、落下の衝撃による容器の破損を招いてしまう場合がある、という課題が残る。
【０００７】
本発明は、液体容器の装置への装着・取り外しが容易で、且つ、液体容器の不意の落下を防ぐことができる加熱蒸散装置を提供することを、主たる目的とする。
【課題を解決するための手段】
【０００８】
本発明の加熱蒸散装置は、液体が充填され容器内から容器外へ突出して設けられ、且つ、容器内において液体に浸漬される吸液芯を有する液体容器を筐体に対してスライド可能に保持するホルダと、前記吸液芯を加熱し、この吸液芯から液体を蒸散させるために前記筐体に設けられた加熱手段と、前記加熱手段と前記吸液芯とが近接した状態で前記液体容器を保持する保持手段と、前記液体容器を、前記ホルダを介して前記筐体に対してスライドさせ、前記吸液芯と前記加熱手段とを近接、又は、離間させる近接離間手段と、を有し、前記近接離間手段は、前記保持手段による保持を解除して前記液体容器が前記筐体から排出する際に前記筐体の外方へ当該液体容器の一部が突出した状態を維持するように構成されることを特徴とする。
【発明の効果】
【０００９】
本発明によれば、液体容器の装置への装着・取り外しが容易で、且つ、液体容器の不意の落下を防ぐことができる。
【図面の簡単な説明】
【００１０】
【図１】（ａ）、（ｂ）、（ｃ）は、加熱蒸散装置の構成の一例を示す図。
【図２】加熱部の拡大図。
【図３】ホルダ、ボトルの関係を説明するための斜視図。
【図４】（ａ）、（ｂ）は、ボトルを加熱蒸散装置に装着する様子を説明するための図。
【図５】ボトルを加熱蒸散装置から取り外す際の様子を説明するための図。
【発明を実施するための形態】
【００１１】
以下、図面を参照しながら実施形態を説明する。なお、本実施形態の説明においては、例えば液体容器（以下、ボトルと称す）に充填した液体の蒸散用薬剤（以下、薬液と称す）を、当該薬液に浸漬される吸液芯を介して吸い上げて、この吸液芯の先端辺を加熱することによって蒸散用薬剤を蒸散させる加熱蒸散装置を例に挙げて説明を進める。
なお、この吸液芯は、ボトル外へ突出して設けられる。また、この加熱蒸散装置は、例えば電気式蚊取器として用いることができる。
【００１２】
［実施形態例］
図１は、本実施形態に係る加熱蒸散装置の構成の一例を示す図である。図１では、加熱蒸散装置１０にボトル３００が装着された状態を表しており、（ａ）は概略縦断面図、（ｂ）は底面図、（ｃ）は図１（ａ）の断面に対し直交する方向から見たときの概略縦断面図である。
加熱蒸散装置１０は、例えば半球形状に形成された部位を上部に有する略ドーム形状に形成された筐体１００を有する。加熱蒸散装置１０では、その筐体１００の内部空間に液体が充填されたボトル３００を装着可能に構成される。詳細は後述する。
なお、ボトル３００は薬液が充填され容器内から容器外へ突出して設けられ、且つ、容器内において薬液に浸漬される吸液芯３０１を有する液体容器であり、薬液は毛細管現象によりこの吸液芯３０１を介してボトル本体から吸い上げられる。なお、吸液芯３０１により吸い上げられた薬液は、後述する加熱部１０３が吸液芯３０１を加熱することにより蒸散されることになる。また、図１（ｃ）に示すように、加熱蒸散装置１０では、装置からボトル３００を取り外すことなく薬液の残量を確認できるように１ヶ所又、２ヶ所の残量確認窓２０７が形成されている。
【００１３】
加熱蒸散装置１０の筐体１００には、加熱蒸散された薬液を筐体外へと排出するための孔部１０１（薬剤蒸散用窓と称する場合もある）が形成される。加熱蒸散装置１０は、また、筐体１００の内部空間に配備され、且つ、ボトル３００を後述するホルダ２００と共にその内部空間に収容する筒状体（以下、収容体と称す）１０２、この収容体１０２の上部に配備された加熱部１０３を有する。
【００１４】
加熱蒸散装置１０は、電源コード４００を介して電源（不図示）に電気的に接続される。加熱蒸散装置１０は、また、この筐体１００の一部位を構成し、且つ、筐体１００に配備されたスイッチ１０４を介して加熱部１０３への給電を開始（ＯＮ）、あるいは給電を停止（ＯＦＦ）することができる。これにより、加熱蒸散装置１０の使用者は筐体１００の外方から装置のＯＮ／ＯＦＦ操作を行うことができる。使用者はこのスイッチ１０４を一度押すことにより装置を稼働状態にしたり、再びスイッチ１０４を押して装置を停止状態にすることができる。
【００１５】
ホルダ２００は、ボトル３００の所定部位と係合可能に構成された勘合穴２０１（図３参照）を有する。図１（ａ）に示すように、ボトル３００において吸液芯３０１とボトル本体とが接続される箇所を基準にして、ボトル本体側の所定範囲の外周部位に一又は複数の溝（勘合溝）を形成し、この勘合溝に対して勘合穴２０１が係合するように構成することができる。
【００１６】
収容体１０２の内部空間には、ボトル３００を保持するホルダ２００（ボトル受けと称する場合もある）が収容される。収容体１０２は、ホルダ２００をスライドさせる機構を有し、このホルダ２００が収容体１０２の内部空間において、当該収容体１０２に対して相対的に上昇、又は、下降（図１（ａ）中の矢印方向）可能に構成される。このようにホルダ２００をスライドさせる機構は、ボトル３００の吸液芯３０１と加熱部１０３とを近接、又は、離間させる近接離間手段として機能する。
また、ボトル３００は、収容体１０２、ホルダ２００を介して加熱蒸散装置１０に装着される。つまり、収容体１０２、ホルダ２００は、ボトル３００を加熱蒸散装置１０の所定位置に装着するための機構として機能する。
【００１７】
収容体１０２の内側面には、ホルダ２００が保持するボトル３００の外周面の一部位と当接するガイド２０２が形成される。ガイド２０２は、ホルダ２００周囲を覆うように等間隔に３ヶ所又は４ヶ所に配設され、ガイド２０２の中心は、加熱部と収容体の中心に合致している。そのため、ホルダ２００を加熱部１０３の中心からズレルことなく、収容体１０２に対して相対的に上昇、又は、下降させることができる。
また、ガイド２０２により、ボトル３００の吸液芯３０１と加熱部１０３とをより容易に所定の隙間を空けて近接させることができる。詳細は、後述する。
【００１８】
本実施形態に係る加熱蒸散装置１０では、収容体１０２の内側面の４ヵ所にガイド２０２が形成されている。このガイド２０２にホルダ２００の外周面を当接させていため、ホルダ２００の中心と、加熱部、収容体の中心とが合致する。ホルダ２００の内面には、ボトル３００が不意に落下しないように、ボトル外周面をその外周側から押圧する押圧部２０３が形成される。なお、押圧部２０３がボトル３００に付与する押圧力の大きさは、ボトルの自由落下を防ぐことができる大きさに設定する。押圧部２０３は、例えばボトルのすべり止めができるゴム製の部材をリング形状に形成されたものである。このように、ホルダ２００をスライドさせる機構は、ガイド２０２、押圧部２０３を含んで構成される。
【００１９】
また、図１（ａ）に示すように、収容体１０２とホルダ２００は第１のバネ材２０５を介して接続される。第１のバネ材２０５は、例えばコイルバネであり、収容体１０２の上底面側を基準にした場合、ホルダ２００を収容体１０２の上底面側から遠ざける方向、つまり相対的に下方向に移動させるような押圧力を付与する。
【００２０】
また、加熱蒸散装置１０は、ボトルストッパ２５０、このボトルストッパ２５０を水平方向に向けて押圧する第２のバネ材２５１を有する。ボトルストッパ２５０は、略円環形状に形成され、加熱蒸散装置１０に対して水平方向にスライド可能に構成されたリングである。図１（ｂ）に示すように、ボトルストッパ２５０は、リングの孔部からその中心方向に向けて延出された、装着時のボトル３００の底面に当接する当接部２５０ａ、操作部２５０ｂを有する。操作部２５０ｂは、この当接部２５０ａのボトル底面への当接、又は、ボトル底面からの離脱を操作するためのものであり、筐体１００の外方へ突出するように形成される。なお、ボトルストッパ２５０は、ベース２０６と収容体１０２によりスライド可能な状態に配備される。
【００２１】
ボトルストッパ２５０は、収容体１０２がホルダ２００に保持されたボトル３００を収容した際に、当接部２５０ａをボトル底面に当接させて、これにより加熱部１０３の発熱部と吸液芯３０１との近接状態を維持する。このようにボトルストッパ２５０は、加熱部１０３の発熱部と吸液芯３０１とが近接した状態でボトル３００を保持する保持手段として機能する。
なお、本実施形態に係るボトルストッパ２５０では、ボトル３００の装着の有無に関わらず、第２のバネ材２５１からの押圧力により図１（ｂ）に示すような状態が通常状態であるものとする。
【００２２】
図２は、加熱部１０３の拡大図である。
加熱部１０３は、スイッチ１０４を介して電源と電気的に接続されており、給電開始を契機に発熱部が発熱を開始するように構成される。この発熱部は、例えば所定の高さを有するリング形状に形成され、図２に示す矢印Ａ方向からボトル３００の吸液芯３０１が挿入される。つまり、発熱部は、その内部空間に吸液芯３０１が挿抜自在なサイズに形成される。具体的には、発熱部は吸液芯３０１が挿入された状態において、当該発熱部の内側面と吸液芯３０１の外側面との間に所定の隙間が空くような形状、サイズに形成される。この隙間の大きさは、薬液の種類、発熱部の通電時の温度、単位時間当たりの蒸散量の設定値などに基づき予め任意に設定することができる。
【００２３】
このように、加熱部１０３は、吸液芯３０１を加熱し、この吸液芯から液体を蒸散させるための加熱手段として機能する。なお、ボトル３００の挿抜を繰り返した場合であっても、前述したホルダ２００をスライドさせる機構の作用により加熱部１０３と吸液芯３０１との間隔のバラツキ発生を防ぐことができる。
【００２４】
図３は、ホルダ２００、ボトル３００の関係を説明する斜視図である。
ホルダ２００は、例えば樹脂素材を用いて形成される。ホルダ２００は、図３に示すように、収容体１０２と接続するアーム２１０及び第１のバネ材２０５を収納する溝２１１、ボトルの上昇位置を規制するストッパ部２１２、ボトル（吸液芯）の位置を決める勘合穴２０１を含んで構成される。
【００２５】
アーム２１０は、収容体１０２の上部に形成された孔部に挿入され、先端にはフック状の規制部位が形成されており、これによりアーム２１０が収容体１０２から抜けてしまうことを規制している。
【００２６】
また、ホルダ２００は、収容体１０２の内部空間において、アーム２０１にあるフックと収容体１０２上面との距離Ｌ（図１（ａ））を移動することができる。装置底面からのボトル３００の飛出し量は、距離Ｌにより決定される。なお、飛び出し量は、距離Ｌを調整してボトルを掴むことができるようにする必要がある。
また、ホルダ２００はストッパ部２１２が、収容体１０２の上部に接触するまで押し込むことができ、この時の第１のバネ材２０５の反発力により、ボトル３００を装置外部に押し出すことができる。
【００２７】
図４は、ボトル３００を加熱蒸散装置１０に装着する様子を説明するための図であり、（ａ）は概略縦断面図、（ｂ）は底面図である。
ボトル３００を加熱蒸散装置１０に装着する際には、ボトル３００を装置底面の空洞部に向けて押し込む。この際、ボトル３００を空洞部に押し込む動作の過程でボトルストッパ２５０が水平方向にスライドするため、ボトルを加熱蒸散装置１０の内部に挿入することができる。
【００２８】
ボトル３００は、収容体１０２の内部空間へ所定量押し込まれた際にホルダ２００と接続状態、つまりボトル３００の勘合溝に対して勘合穴２０１が係合した状態になる（図４（ａ））。引き続き、ボトル３００をホルダ２００の上昇停止位置まで押し込む。なお、ホルダ２００が上昇停止位置に到達するまでの間は、ボトルストッパ２５０の当接部２５０ａはボトル３００の外側面に当接している。つまり、当接部２５０ａは、孔部へのボトル３００の挿入に応じてボトル底面外周よりも外方側へ移動している。
そして、ホルダ２００の上昇停止位置までボトル３００が押し込まれたとき、当接部２５０ａはボトル３００の外側面に対する当接から、ボトル底面に対する当接へと状態が遷移する。これによりボトル３００の装着が完了して加熱部１０３の発熱部と吸液芯３０１との近接状態が維持される。この状態にて加熱部１０３への給電を開始し、薬液の蒸散を開始する。
【００２９】
図５は、ボトル３００を加熱蒸散装置１０から取り外す際の様子を説明するための図である。
ボトル３００を加熱蒸散装置１０から取り外す際には、加熱部１０３への給電を停止した後、ボトルストッパ２５０の操作部２５０ｂを図５に示す矢印方向に押し込む。これにより、ボトルストッパ２５０の当接部２５０ａがボトル底面から離脱し、図５に示すように、第１のバネ材２０５の反発力によりホルダ２００が下降し、ボトル３００の一部が加熱蒸散装置１０の外方へ突出した状態になる。このように、第１のバネ材２０５は、ボトルストッパ２５０によるボトル底面への当接が解除された場合、収容体１０２とホルダ２００とを相対的に離間させ、ボトル３００を加熱蒸散装置１０の外方へ排出させる機能を有する。
なお、アーム２１０のフックにより、加熱蒸散装置１０からボトル３００を取り外す際に、ホルダ２００が収容体１０２から抜けないように規制される。そのため、ボトル３００の一部が加熱蒸散装置１０の外方へ突出した状態が維持されることになる。
また、ホルダ２００をスライドさせる機構を介してボトル３００を保持した状態のホルダ２００を所定方向（下降方向）に向けて相対的に離間させるため、ボトル３００を加熱蒸散装置１０から取り外す際においても吸液芯３０１と加熱部１０３、及び、収容体１０２内面との接触発生を回避することができる。
【００３０】
このように、本実施形態に係る加熱蒸散装置１０では、ボトル３００の装置への装着・取り外しが容易で、且つ、ボトル３００の不意の落下を防ぐことができる。
加熱蒸散装置１０にボトル３００を装着する際には、ホルダ２００が保持するボトル３００がホルダ２００をスライドさせる機構を介して所定位置までスムースに移動させることができる。そのため、吸液芯３０１、加熱部１０３などの破損発生が抑制される。
【００３１】
また、ボトル３００を加熱蒸散装置１０から取り外す際には、ボトルストッパ２５０の操作部２５０ｂを装置側に押し込むだけで、ボトル３００の一部が加熱蒸散装置１０の外方へ突出する。そのため、ボトル３００を容易に取り出すことができるとともに、ボトルを取り出す際に指等を入れるための「隙間」を設ける必要がなくなるため、装置のさらなる小型化を図ることができる。
【００３２】
さらに、ボトル３００の一部が加熱蒸散装置１０の外方へ突出した状態が維持されため、加熱蒸散装置１０からボトル３００を取り外す際の不意の落下を抑制することができる。そのため、落下の衝撃などを要因とするボトルの破損等の発生を防止することができる。
【００３３】
上記説明した実施形態は、本発明をより具体的に説明するためのものであり、本発明の範囲が、これらの例に限定されるものではない。
【符号の説明】
【００３４】
１０・・・加熱蒸散装置、１００・・・筐体、１０１・・・孔部（薬剤蒸散用窓）、１０２・・・収容体（筒状体）、１０３・・・加熱部、１０４・・・・スイッチ、２００・・・ホルダ、２０１・・・勘合穴、２０２・・・ガイド、２０３・・・押圧部、２０５・・・第１のバネ材、２０６・・・ベース、２０７・・・残量確認窓、２５０・・・ボトルストッパ、２５０ａ・・・当接部、２５０ｂ・・・操作部、２５１・・・第２のバネ材、３００・・・ボトル（液体容器）、４００・・・電源コード。
【図１】
0006650695.tif 000002
【図２】
0006650695.tif 000003
【図３】
0006650695.tif 000004
【図４】
0006650695.tif 000005
【図５】
0006650695.tif 000006